(57)【要約】【課題】嵌合の際の挿入力を低くするとともに、嵌合後のハウジングガタ付きを抑えることを可能とするコネクタを提供する。【解決手段】雄コネクタハウジング３０が嵌合筒部３３の内面３７の根元近くまで差し込まれると、この内面３７の根元に配置形成される複数の第１のガタ付き規制部２５に雄コネクタハウジング３０の外面４１の先端４５が当接する。また、この時、雄コネクタハウジング３０の外面４１の根元に配置形成される複数の第２のガタ付き規制部２６には、嵌合筒部３３の内面３７の先端４６が当接する。この後、それまでの挿入力よりも若干大きな力を掛けると、第１のガタ付き規制部の部分と第２のガタ付き規制部の部分とにそれぞれ圧入状態が形成される。【選択図】図２
2009110896.tif 000002
【特許請求の範囲】
【請求項１】
嵌合筒部を有する雌コネクタハウジングと、前記嵌合筒部に差し込まれて嵌合し合う雄コネクタハウジングとを備えるとともに、前記雌コネクタハウジング及び前記雄コネクタハウジング同士の嵌合後におけるガタ付きを規制するガタ付き規制部を前記嵌合筒部の内面に複数形成してなるコネクタにおいて、
前記ガタ付き規制部を前記嵌合筒部の内面根元に複数配置形成して複数の第１のガタ付き規制部とするとともに、前記雄コネクタハウジングの外面根元にも前記嵌合後におけるガタ付きを規制する複数の第２のガタ付き規制部を配置形成する
ことを特徴とするコネクタ。
【請求項２】
請求項１に記載のコネクタにおいて、
前記第１のガタ付き規制部及び前記第２のガタ付き規制部をコネクタ嵌合方向に平行なリブ形状に形成するとともに、これら前記第１のガタ付き規制部及び前記第２のガタ付き規制部の長さを、前記第１のガタ付き規制部と前記雄コネクタハウジングの外面先端、及び、前記第２のガタ付き規制部と前記嵌合筒部の内面先端が略同時に圧入開始となる長さに形成する
ことを特徴とするコネクタ。
【請求項３】
請求項１又は請求項２に記載のコネクタにおいて、
前記第１のガタ付き規制部及び前記第２のガタ付き規制部のそれぞれに案内用のテーパ面を形成する
ことを特徴とするコネクタ。
【発明の詳細な説明】
【技術分野】
【０００１】
本発明は、コネクタハウジングにガタ付きを規制するためのガタ付き規制部を形成してなるコネクタに関する。
【背景技術】
【０００２】
下記特許文献１、２には、コネクタハウジングにガタ付きを規制するためのガタ付き規制部（遊動規制突条）を有するコネクタの技術が開示されている。以下、図面を参照しながらこのコネクタについて説明する。図８及び図９において、雌コネクタハウジング１は、雄コネクタハウジング２の差し込みにより嵌合が生じる筒状の嵌合筒部３を有している。この嵌合筒部３の内面（内周面）には、雄コネクタハウジング２を圧入状態にするガタ付き規制部４が複数形成されている。
【０００３】
ガタ付き規制部４は、嵌合筒部３の開口縁から奥壁まで真っ直ぐに伸びるように長く形成されている。ガタ付き規制部４は、正面から見た時の形状が略台形となるように形成されている。ガタ付き規制部４は、この全体が剛性を有する硬いものとなっている。ガタ付き規制部４は、嵌合する雄コネクタハウジング２のガタ付きを規制するために複数形成されている。ガタ付き規制部４は、嵌合筒部３と雄コネクタハウジング２とのクリアランスよりも若干大きく上記内面から突出するように形成されている。ガタ付き規制部４は、図示の如くの四箇所の位置に配置形成されている。
【０００４】
引用符号５は雄コネクタハウジング２の嵌合用ガイドリブ、引用符号６はこの嵌合用ガイドリブ５を案内するためのガイドリブ案内溝、引用符号７は雄コネクタハウジング２のロックアーム、引用符号８はロックアーム７を係止させるためのロック部をそれぞれ示している。ガタ付き規制部４は、図面から分かるようにガイドリブ案内溝６及びロック部８を除く位置に配置形成されている。
【０００５】
上記構造において、雄コネクタハウジング２を雌コネクタハウジング１の嵌合筒部３に差し込んで嵌合作業を行うと、雄コネクタハウジング２がガタ付き規制部４の存在により圧入状態になる。これにより、嵌合後のハウジングガタ付きが抑えられる。雄コネクタハウジング２のガタ付きが抑えられると、雄雌の端子金具の接続状態に悪影響が及ばないようになる。また、異音の発生が抑えられるようになる。
【特許文献１】特開２００４−２９６４５２号公報
【特許文献２】特開２００２−１９８１２７号公報
【発明の開示】
【発明が解決しようとする課題】
【０００６】
上記従来技術にあっては、雌コネクタハウジング１の嵌合筒部３と雄コネクタハウジング２とのクリアランスよりも若干大きく突出するようにガタ付き規制部４が形成されることから、雄コネクタハウジング２を雌コネクタハウジング１の嵌合筒部３に差し込んで嵌合作業を開始する時点から挿入力が高くなってしまうという問題点を有している。また、挿入力が高いと嵌合作業の際に雄コネクタハウジング２を強く押し込む必要性があり、押し込みの勢いと作用の方向によってはガタ付き規制部４に削れが生じてしまうという問題点も有している。ガタ付き規制部４に削れが生じた場合には、ガタ付き防止の役目を十分に果たすことができなくなってしまうことになる。
【０００７】
本発明は、上述した事情に鑑みてなされたもので、嵌合の際の挿入力を低くするとともに、嵌合後のハウジングガタ付きを抑えることを可能とするコネクタを提供することを課題とする。
【課題を解決するための手段】
【０００８】
上記課題を解決するためになされた請求項１記載の本発明のコネクタは、嵌合筒部を有する雌コネクタハウジングと、前記嵌合筒部に差し込まれて嵌合し合う雄コネクタハウジングとを備えるとともに、前記雌コネクタハウジング及び前記雄コネクタハウジング同士の嵌合後におけるガタ付きを規制するガタ付き規制部を前記嵌合筒部の内面に複数形成してなるコネクタにおいて、前記ガタ付き規制部を前記嵌合筒部の内面根元に複数配置形成して複数の第１のガタ付き規制部とするとともに、前記雄コネクタハウジングの外面根元にも前記嵌合後におけるガタ付きを規制する複数の第２のガタ付き規制部を配置形成することを特徴としている。
【０００９】
請求項２記載の本発明のコネクタは、請求項１に記載のコネクタにおいて、前記第１のガタ付き規制部及び前記第２のガタ付き規制部をコネクタ嵌合方向に平行なリブ形状に形成するとともに、これら前記第１のガタ付き規制部及び前記第２のガタ付き規制部の長さを、前記第１のガタ付き規制部と前記雄コネクタハウジングの外面先端、及び、前記第２のガタ付き規制部と前記嵌合筒部の内面先端が略同時に圧入開始となる長さに形成することを特徴としている。
【００１０】
請求項３記載の本発明のコネクタは、請求項１又は請求項２に記載のコネクタにおいて、前記第１のガタ付き規制部及び前記第２のガタ付き規制部のそれぞれに案内用のテーパ面を形成することを特徴としている。
【００１１】
このような特徴を有する本発明によれば、コネクタ嵌合作業を開始すると、雌コネクタハウジングの嵌合筒部に雄コネクタハウジングが差し込まれる。雄コネクタハウジングの差し込みが進むと、雄型の端子金具が雌型の端子金具に差し込まれて電気的な接続も開始される。そして、雄コネクタハウジングが嵌合筒部の内面根元近くまで差し込まれると、この内面根元に配置形成される複数の第１のガタ付き規制部に雄コネクタハウジングの外面先端が当接する。また、この時、雄コネクタハウジングの外面根元に配置形成される複数の第２のガタ付き規制部に嵌合筒部の内面先端が当接する。コネクタ嵌合作業の終了直前にそれまでの挿入力よりも若干大きな力を掛けると、第１のガタ付き規制部の部分と第２のガタ付き規制部の部分とにそれぞれ圧入状態が形成される。
【００１２】
本発明によれば、圧入状態がコネクタ嵌合方向の前後二箇所で更には各箇所複数形成されるようになることから、嵌合後のハウジング同士のガタ付きをより確実に規制することが可能になる。また、本発明によれば、コネクタ嵌合作業の終了直前まで比較的小さな挿入力で済むことから、作業性の向上を図ることが可能になる。さらに、本発明によれば、案内用のテーパ面を形成することにより、挿入の妨げになるような引っ掛かりを低減して、第１のガタ付き規制部の部分と第２のガタ付き規制部の部分との二箇所の圧入状態の形成をスムーズに行えるようにし、結果、作業性の向上を図ることが可能になる。
【００１３】
尚、本発明は、レバーを構成に含んで挿入力を低減するレバー嵌合式のコネクタ（例えばＬＩＦコネクタ）にすることがより一層効果的であるものとする。
【発明の効果】
【００１４】
請求項１に記載された本発明によれば、嵌合の際の挿入力をコネクタ嵌合作業の終了直前まで従来よりも低くすることができるという効果を奏する。また、本発明によれば、嵌合後のハウジングガタ付きを従来よりも確実に抑えることができるという効果を奏する。
【００１５】
請求項２に記載された本発明によれば、二箇所の圧入状態の形成を同時に行うことで、コネクタ嵌合作業の終了直前まで比較的小さな挿入力で作業を続けることができるという効果を奏する。
【００１６】
請求項３に記載された本発明によれば、二箇所の圧入状態の形成をスムーズに行うことができるという効果を奏する。
【発明を実施するための最良の形態】
【００１７】
以下、図面を参照しながら説明する。図１は本発明のコネクタの一実施の形態を示すコネクタ嵌合途中のコネクタの断面図である。また、図２は図１のＡ部分の拡大図、図３（ａ）は雌コネクタハウジングの正面図、図３（ｂ）雄コネクタの正面図、図４はコネクタ嵌合後のコネクタの断面図、図５は図４のＢ部分の拡大図、図６は雌コネクタの斜視図、図７は雌コネクタの断面図である。尚、上記断面図においては、構成部材を一部省略している図もある。
【００１８】
図１において、引用符号２１で示されるコネクタは、雌コネクタ２２と雄コネクタ２３とを嵌合させることにより電気的な接続を行うことができるようになっている。また、コネクタ２１は、本形態において、防水性能を有する構成及び構造になっている（一例であるものとする）。さらに、コネクタ２１は、雌コネクタ２２の構成にレバー２４を含むことにより、雌コネクタ２２と雄コネクタ２３との嵌合接続に係る作業を低挿入力で行えるような構造なっている。
【００１９】
コネクタ２１は、雌コネクタ２２と雄コネクタ２３との嵌合後、これら雌コネクタ２２と雄コネクタ２３との間にガタ付きが生じないような構造になっている。また、コネクタ２１は、雌コネクタ２２と雄コネクタ２３との嵌合の際の挿入力を、コネクタ嵌合作業の終了直前まで従来よりも低くすることができるような構造になっている。これらの特徴は、雌コネクタ２２に第１のガタ付き規制部２５を形成するとともに、雄コネクタ２３に第２のガタ付き規制部２６を形成することにより実現することができるようになっている。
【００２０】
雌コネクタ２２は、絶縁性を有する合成樹脂製の雌コネクタハウジング２７と、この雌コネクタハウジング２７の外面に回動自在に設けられる合成樹脂製のレバー２４（図６参照）と、雌コネクタハウジング２７の端子収容室に収容係止される雌型の端子金具（図示省略）と、雌コネクタハウジング２７に嵌合するとともに、この嵌合によって上記端子収容室の前部を構成する絶縁樹脂製のフロントホルダー２８（図６及び図７参照）と、コネクタ嵌合の際に雌コネクタ２２及び雄コネクタ２３に挟まれて弾性変形し、これにより水分の浸入を防止するゴム製のパッキン２９（図７参照）とを備えて構成されている。
【００２１】
一方、雄コネクタ２３は、絶縁性を有する合成樹脂製の雄コネクタハウジング３０と、この雄コネクタハウジング３０の端子収容室に収容係止される雄型の端子金具３１とを備えて構成されている。雄型の端子金具３１は、細長いタブ状の電気接触部が雄コネクタハウジング３０の内部空間３２に突出するようになっている。尚、上記各構成部材の機能に関しては、公知のものと基本的に同じであり、ここでは雌コネクタハウジング２７及び雄コネクタハウジング３０以外の詳細な説明は省略するものとする。
【００２２】
図１及び図３（ａ）において、雌コネクタハウジング２７は、雄コネクタ２３（雄コネクタハウジング３０）との嵌合に係る筒状の嵌合筒部３３を有している。嵌合筒部３３の外面（外周面）には、レバー２４が回動自在に組み付けられている。嵌合筒部３３の内側には、端子収容室３４を複数有する端子収容部３５が一体に形成されている。端子収容部３５は、嵌合筒部３３の内部空間３６に突出するように形成されている。端子収容部３５は、この外面が嵌合筒部３３の内面（内周面）３７から所定の間隔があくように形成されている。
【００２３】
図１ないし図３（ａ）において、嵌合筒部３３の内面３７の根元には、第１のガタ付き規制部２５が複数形成されている。第１のガタ付き規制部２５は、リブ形状（突条）に形成されている。第１のガタ付き規制部２５は、それぞれ対称となる位置に配置形成されている。尚、図３（ａ）の第１のガタ付き規制部２５は、位置を分かり易くするために黒く塗りつぶしている。
【００２４】
第１のガタ付き規制部２５は、本形態において図３（ａ）に示す如く、紙面上下方向の中心軸（図示省略）に対して第１のガタ付き規制部２５ａと２５ｂ、２５ｃと２５ｄ、２５ｅと２５ｆが対称位置となるように配置形成されている。また、紙面左右方向の中心軸（図示省略）に対して第１のガタ付き規制部２５ａと２５ｃ、２５ｂと２５ｄが対称位置となるように配置形成されている。紙面左右方向の中心軸上には、第１のガタ付き規制部２５ｅと２５ｆが配置形成されている（上記の配置や数は一例であるものとする）。
【００２５】
尚、嵌合筒部３３の内面３７には、一対のガイド溝３８が形成されている。第１のガタ付き規制部２５ｅと２５ｆは、この一対のガイド溝３８にそれぞれ配置形成されている。ガイド溝３８は、コネクタ嵌合方向に対して平行な溝となるように形成されている。
【００２６】
図１及び図２において、第１のガタ付き規制部２５は、コネクタ嵌合方向に対して平行な面となる圧入面３９と、この圧入面３９に連続する案内用のテーパ面４０とを有している。圧入面３９とテーパ面４０とを有する第１のガタ付き規制部２５は、本形態において、嵌合筒部３３の全長に対し２０％程度の長さになるように形成されている（この長さに限定されないものとする）。圧入面３９は、内面３７から僅かに高くなるように形成されている。また、テーパ面４０は、緩やかな傾斜となるように形成されている。
【００２７】
図１及び図３（ｂ）において、雄コネクタハウジング３０は、コネクタ嵌合の際に雌コネクタハウジング２７の端子収容部３５が差し込まれる内部空間３２を有している。この内部空間３２には、上記の如く雄型の端子金具３１の電気接触部が複数突出している。雄コネクタハウジング３０は、この嵌合側が筒状に形成されており、コネクタ嵌合の際に筒状の部分が雌コネクタハウジング２７の内部空間３６に差し込まれるようになっている。
【００２８】
このような雄コネクタハウジング３０の外面（外周面）４１の根元には、第２のガタ付き規制部２６が複数形成されている。第２のガタ付き規制部２６は、リブ形状（突条）に形成されている。第２のガタ付き規制部２６は、それぞれ対称となる位置に配置形成されている。第２のガタ付き規制部２６は、後述の説明からも分かるようになるが、第１のガタ付き規制部２５の位置に合わせて配置形成されている。尚、図３（ｂ）の第２のガタ付き規制部２６は、位置を分かり易くするために黒く塗りつぶしている。
【００２９】
第２のガタ付き規制部２６は、本形態において図３（ｂ）に示す如く、紙面上下方向の中心軸（図示省略）に対して第２のガタ付き規制部２６ａと２６ｂ、２６ｃと２６ｄ、２６ｅと２６ｆが対称位置となるように配置形成されている。また、紙面左右方向の中心軸（図示省略）に対して第２のガタ付き規制部２６ａと２６ｃ、２６ｂと２６ｄが対称位置となるように配置形成されている。紙面左右方向の中心軸上には、第２のガタ付き規制部２６ｃと２６ｄが配置形成されている（上記の配置や数は一例であるものとする）。
【００３０】
尚、雄コネクタハウジング３０の外面４１には、一対のガイド突起４２が形成されている。第２のガタ付き規制部２６ｃと２６ｄは、この一対のガイド突起４２にそれぞれ配置形成されている。ガイド突起４２は、コネクタ嵌合方向に対し平行な略レール状の突起として形成されている。ガイド突起４２は、雌コネクタハウジング２７のガイド溝３８に差し込まれて案内されるようになっている。
【００３１】
図１及び図２において、第２のガタ付き規制部２６は、コネクタ嵌合方向に対して平行な面となる圧入面４３と、この圧入面４３に連続する案内用のテーパ面４４とを有している。圧入面４３とテーパ面４４とを有する第２のガタ付き規制部２６は、本形態において、第１のガタ付き規制部２５と同じ長さになるように形成されている。圧入面４３は、外面４１から僅かに高くなるように形成されている。また、テーパ面４４は、緩やかな傾斜となるように形成されている。
【００３２】
上記構成及び構造において、図１及び図２に示す如くコネクタ嵌合作業を開始すると、雌コネクタハウジング２７の嵌合筒部３３に雄コネクタハウジング３０が差し込まれる。レバー２４を用いることにより雄コネクタハウジング３０の差し込みが進むと、雄型の端子金具３１のタブ状の電気接触部が雌型の端子金具の箱状の電気接触部に差し込まれて電気的な接続も開始される。
【００３３】
そして、雄コネクタハウジング３０が嵌合筒部３３の内面３７の根元近くまで差し込まれると、この内面３７の根元に配置形成される複数の第１のガタ付き規制部２５（のテーパ面４０）に雄コネクタハウジング３０の外面４１の先端４５が当接する。また、この時、雄コネクタハウジング３０の外面４１の根元に配置形成される複数の第２のガタ付き規制部２６（のテーパ面４４）には、嵌合筒部３３の内面３７の先端４６が当接する。
【００３４】
図４及び図５において、コネクタ嵌合作業の終了直前にそれまでの挿入力よりも若干大きな力を掛けると、第１のガタ付き規制部２５の部分と第２のガタ付き規制部２６の部分とにそれぞれ圧入状態が形成される。具体的には、第１のガタ付き規制部２５の圧入面３９に雄コネクタハウジング３０の外面４１の先端４５が乗り上げて圧入状態が形成されるとともに、第２のガタ付き規制部２６の圧入面４３に嵌合筒部３３の内面３７の先端４６が乗り上げて圧入状態が形成される。圧入状態が形成されレバー２４が所定の位置まで操作されると、雄コネクタハウジング３０は嵌合筒部３３に対して完全に差し込まれ、これによりコネクタ嵌合作業が完了する。
【００３５】
以上、図１ないし図７を参照しながら説明してきたように、本発明によれば、圧入状態がコネクタ嵌合方向の前後二箇所で更には各箇所複数形成されるようになることから、嵌合後のハウジング同士のガタ付きを従来よりも確実に抑えることができる。
【００３６】
また、本発明によれば、コネクタ嵌合作業の終了直前まで比較的小さな挿入力で済むことから、従来よりも格段に作業性の向上を図ることができる。
【００３７】
さらに、本発明によれば、第１のガタ付き規制部２５及び第２のガタ付き規制部２６に案内用のテーパ面４０、４４を形成していることから、挿入の妨げになるような引っ掛かりを低減して、第１のガタ付き規制部２５の部分と第２のガタ付き規制部２６の部分との二箇所の圧入状態の形成をスムーズに行うことができる。従って、作業性の更なる向上を図ることができる。
【００３８】
この他、本発明は本発明の主旨を変えない範囲で種々変更実施可能なことは勿論である。
【図面の簡単な説明】
【００３９】
【図１】本発明のコネクタの一実施の形態を示すコネクタ嵌合途中のコネクタの断面図である。
【図２】図１のＡ部分の拡大図である。
【図３】（ａ）は雌コネクタハウジングの正面図、（ｂ）雄コネクタの正面図である。
【図４】コネクタ嵌合後のコネクタの断面図である。
【図５】図４のＢ部分の拡大図である。
【図６】雌コネクタの斜視図である。
【図７】雌コネクタの断面図である。
【図８】従来例のコネクタにおける雌コネクタハウジングの正面図である。
【図９】従来例のコネクタのコネクタ嵌合状態を示す断面図である。
【符号の説明】
【００４０】
２１  コネクタ
２２  雌コネクタ
２３  雄コネクタ
２４  レバー
２５  第１のガタ付き規制部
２６  第２のガタ付き規制部
２７  雌コネクタハウジング
２８  フロントホルダー
２９  パッキン
３０  雄コネクタハウジング
３１  雄型の端子金具
３２  内部空間
３３  嵌合筒部
３４  端子収容室
３５  端子収容部
３６  内部空間
３７  内面
３８  ガイド溝
３９、４３  圧入面
４０、４４  テーパ面
４１  外面
４２  ガイド突起
４５、４６  先端
【図１】
2009110896.tif 000003
【図２】
2009110896.tif 000004
【図３】
2009110896.tif 000005
【図４】
2009110896.tif 000006
【図５】
2009110896.tif 000007
【図６】
2009110896.tif 000008
【図７】
2009110896.tif 000009
【図８】
2009110896.tif 000010
【図９】
2009110896.tif 000011